(57)【要約】【課題】  横葺き外装材のハゼ組に影響を与えることなく外設部材を取り付けられ、横葺き外装材としての強度等を設計通りに得られ、ハゼ部から外装材裏面側への浸水の心配がない横葺き外装構造の外設部材取付構造を提供すること。【解決手段】  横葺き外装材２における水上側成形部２ａと水下側成形部２ｂを係合して葺いている横葺き外装構造において、保持部材３は横葺き外装材２を貫通して下地１に固定する固定部３ｄを設けた基部３ｃを水上側に有し、保持部材３の基部３ｃを横葺き外装材２の水上側成形部に貫通させて突出し、当該突出状の基部３ｃの固定部３ｄを下地１に取り付けてある。【選択図】  図１
2006274734.tif 000002
【特許請求の範囲】
【請求項１】
横葺き外装材における水上側成形部と水下側成形部を係合して葺いている横葺き外装構造において、
保持部材は前記横葺き外装材を貫通して下地に固定する固定部を設けた基部を水上側に有し、
保持部材の基部を横葺き外装材の水上側成形部に貫通させて突出し、当該突出状の基部の固定部を下地に取り付けてあることを特徴とする横葺き外装構造の外設部材取付構造。
【請求項２】
横葺き外装材の水上側成形部に保持部材の基部が貫通可能な立ち上がり部を形成してあることを特徴とする請求項１記載の横葺き外装構造の外設部材取付構造。
【請求項３】
保持部材配設箇所の横葺き外装材裏面に捨て板を配設してあることを特徴とする請求項１または２記載の横葺き外装構造の外設部材取付構造。
【発明の詳細な説明】
【技術分野】
【０００１】
本発明は屋根や壁等における横葺き外装構造の外設部材取付構造に関する。
【背景技術】
【０００２】
特許文献１には、雪止め金具が横葺き屋根板の水上側成形部（ハゼ部）を跨いで下地に固定される構成が記載されている。
特許文献２には、横葺き屋根板の面板部にビス等で雪止め金具を取り付け、金具裏面の粘着テープで止水している構成が記載されている。
ところで、横葺き屋根には、横葺き屋根板同士が１カ所または複数箇所で接触（面接触、線接触）することで、ハゼ部同士を接続して屋根として強度を得たり、接触させることで雨水を遮断して雨仕舞性能を得る構造が多く存在する。
このような横葺き屋根に、特許文献１に示されるような雪止め金具を採用すると、横葺き屋根板同士の接触部分が無くなり、設計通りの強度が得られなくなるという問題がある。さらに接触部分が無くなることで雨水が侵入しやすくなり、雨仕舞性能の低下という問題もある。
また、横葺き屋根板の面板部に雪止め金具を固定する構成の特許文献２のものでは、雨水が流下する部分すなわち面板部に「孔」が形成されるため、接着不良や経年による粘着テープの劣化によって雨漏りの危険が極めて高いものである。
さらに、折り曲げ加工を施してハゼ部を跨ぐ態様にしてある雪止め金具等では、金具にかかる雪の荷重によって、当該折り曲げ加工部分が変形する（直線状に伸びる）ことがあり、このような場合には、変形の影響がハゼ部にまで及ぶこともあって、ハゼ部から外装材裏面側に浸水する恐れがある。
【特許文献１】実開平６−２０６９５号
【特許文献２】実開平４−３９２２６号
【発明の開示】
【発明が解決しようとする課題】
【０００３】
解決しようとする課題は、第１には、横葺き外装材のハゼ組に影響を与えることなく外設部材を取り付けられ、横葺き外装材としての強度等を設計通りに得られ、ハゼ部から外装材裏面側への浸水の心配がない横葺き外装構造の外設部材取付構造を、第２には、さらに、雨仕舞が良好で、施工し易く効率が高い横葺き外装構造の外設部材取付構造を、第３には、さらに、保持部材配設箇所の雨仕舞を二重にして横葺き外装材裏面への侵入がない横葺き外装構造の外設部材取付構造を提供することにある。
【課題を解決するための手段】
【０００４】
本発明は前記した課題を達成するため、以下の構成にしたことを特徴とする。
１．横葺き外装材における水上側成形部と水下側成形部を係合して葺いている横葺き外装構造において、保持部材は前記横葺き外装材を貫通して下地に固定する固定部を設けた基部を水上側に有し、保持部材の基部を横葺き外装材の水上側成形部に貫通させて突出し、当該突出状の基部の固定部を下地に取り付けてあることを特徴とする。
２．前記した１において、横葺き外装材の水上側成形部に保持部材の基部が貫通可能な立ち上がり部を形成してあることを特徴とする。
３．前記した１または２において、保持部材配設箇所の横葺き外装材裏面に捨て板を配設してあることを特徴とする。
【０００５】
外設部材が取り付けられる箇所は、取り付ける外設部材によって異なり、例えば雪止め金具である場合、軒先付近の時もあれば棟側付近の時もあり、水上側成形部あるいは当該水上側成形部の立ち上がり部になる。
保持部材は、基部を横葺き外装材の水上側成形部あるいは当該水上側成形部の立ち上がり部に貫通させて、横葺き外装材の裏面側に突出する基部の固定部を下地に固定可能で、且つ、外設部材を取り付け可能な態様のものであればよく、１部材で構成してもよいし、複数の部材を溶接する等して一体化した構成でもよく、部材数、組み立て方法は問わない。それにより、保持部材の基部（固定部を含む）以外の構成は、取り付けようとする外設部材によって異なるため特に問わない。かかる保持部材の基部が横葺き外装材に貫通される箇所は、水上側成形部と水下側成形部との係合部分すなわちハゼ組み部分を除くことになる。
また、保持部材の基部は、例えば横葺き外装材における水上側成形部の立ち上がり部に貫通されるが、貫通箇所は立ち上がり部における上側あるいは中間もしくは下側のいずれであってもよい。例えば、貫通箇所が開口部の下にも立ち上がり面部分が存在する上側あるいは中間部位である場合には、基部と面板部との間の開口部周辺に毛細管が働くような隙間が出現せず、水捌けの良い状態が保たれることになる。かかる立ち上がり部の高さは、少なくとも基部が貫通可能な高さを有していればよい。
開口部は、保持部材の基部断面と略同一形状になり、保持部材の基部の貫通・固定後に基部との間の開口部周縁をシール材で密封処理し密閉されることになる。この開口部と基部との間には隙間がないことが望ましく、開口部からの横葺き外装材裏面側への浸入を阻止して雨仕舞する。
この開口部は、あらかじめ設けているものでも、現場で設けられるものでもよい。現場で設けられる場合は、当該貫通箇所にドリル等で孔を設け、その孔に対して、先端が鋭角な基部を強制的に打ち込む（押し込むことで孔が開拡する）ものであってもよい。
捨て板は、横葺き外装材における固定部の貫通箇所から雨水が侵入した場合にこれを水下側に誘導して排出し得るものであればよく、例えば、樋状、平板状のもの等が挙げられる。
外設部材は、雪止め金具、化粧部材、太陽エネルギー変換装置等の屋根上に設置される全ての部材、装置を含み、さらに、壁に配設される部材、装置が含まれる。
【発明の効果】
【０００６】
Ａ．請求項１により、横葺き外装材のハゼ組に影響を与えることなく外設部材を取り付けることができ、横葺き外装材としての強度等を設計通りに得ることができる。
また、横葺き外装材のハゼ組に影響を与えることなく外設部材を取り付けることができるから、仮に雪止め金具が雪の荷重によって変形するようなことがあっても、この変形の影響がハゼ部にまで及ぶことがないので、ハゼ部から外装材裏面側に浸水する恐れがない。
Ｂ．請求項２により、さらに、横葺き外装材における面板部の水上側の立ち上がり部に保持部材の固定部を貫通させて設けることで、貫通箇所が雨水の流下する面板部より高い位置となり、雨仕舞の良好なものとなる。また、面板部から立ち上がる立ち上がり部に保持部材の固定部を貫通させて設けるので施工し易く効率が高い。
Ｃ．請求項３により、保持部材配設箇所の横葺き外装材裏面に捨て板を設けてあることで、万が一、横葺き外装材における固定部の貫通箇所から雨水が侵入しても、捨て板によって排出されるので雨水が外装材裏面へ侵入することがない。
【発明を実施するための最良の形態】
【０００７】
図１〜図２には本発明の横葺き外装構造の外設部材取付構造における実施の１形態として、横葺き屋根の外設部材取付構造を例示しており、垂木１上に横葺き屋根板２を敷き、隣り合う棟側と軒側の横葺き屋根板２における水上側成形部２ａと水下側成形部２ｂを係止し、この係止状態に吊子（図示せず）で垂木１に固定して葺いてある。
横葺き屋根板２は、面板部２ｃから立ち上がり部２ｄを経て水上側成形部２ａを形成しており、立ち上がり部２ｄ中間には開口部２ｅを当該開口部２ｅから保持部材３の基部３ｃが横葺き屋根板２の裏面側に貫通可能に形成してある。
開口部２ｅは保持部材３の基部３ｃの断面形状と同一形状に開口してあり、この開口部２ｅには基部３ｃを横葺き屋根板２表面側から裏面側に貫通してある。
また、基部３ｃが貫通している立ち上がり部２ｄ上の水下側成形部２ｂは、立ち上がり部２ｄよりも軒側にせり出ている関係にしてある。
【０００８】
保持部材３は、金属製の帯板を曲げ加工および溶接して仕上げてあり、上部の被取付け部３ａはこれに雪止めアングル材８を通して取り付け可能に、下部の据え付け部３ｂは横葺き屋根板２表面に据え付け可能に、それぞれ形成してある。据え付け部３ｂは立ち上がり部２ｄの開口部２ｅに貫通されて垂木１へ固定される固定部３ｄを設けた基部３ｃを水上側に有し、この基部３ｃを開口部２ｅから横葺き屋根板２裏面側に貫通させて突出し、この突出状の基部３ｃの固定部３ｄを垂木１にビス等の固定具４で取り付けてある。固定部３ｄは固定具４が通る孔３ｅを開口してあり、また、先端を先鋭状に成形して開口部２ｅに貫通し易く形成している。
かかる保持部材３における基部３ｃの貫通部分には開口部２ｅ周縁との間をシール材５で密封処理して密閉してある。
また、据え付け部３ｂ裏面にはゴムシート等の緩衝材６を貼着し、据え付け時に横葺き屋根板２表面が傷まぬようにしてある。
そして、被取付け部３ａには雪止めアングル材８を通して備えてある。
【０００９】
図３〜図５には本発明の横葺き外装構造の外設部材取付構造における実施の１形態として、他の横葺き屋根の外設部材取付構造を例示しており、構成は前記した図１のものと基本的に同一であるため説明を省略し、相違する構成について説明する。
保持部材３は基部３ｃよりも固定部３ｄが段違い部３ｆを経て一段低くなるように形成してあり、開口部２ｅからの固定部３ｄの突出長さが短い状態で垂木１上に捨て板７を経て固定具４により固定してある。
横葺き屋根における保持部材３配設箇所の横葺き屋根板２裏面には捨て板７を配設してある。この捨て板７は断面略上向きコ字状の樋状のもので、先端に水返し部７ａを有している水上部７ｂは垂木１における固定部３ｄの固定箇所よりも若干水上側まで延び、この水上部７ｂを経て垂木１上に固定部３ｄを固定してある。そして、水下部７ｃは水上側成形部２ａと水下側成形部２ｂとの係止部分の下流側まで延びており、仮に開口部２ｅから固定部３ｄを伝って浸水があった場合でも捨て板７により排水可能にしてある。
【図面の簡単な説明】
【００１０】
【図１】本発明の横葺き外装構造の外設部材取付構造における実施の１形態を例示している縦断面図。
【図２】保持部材の斜視図。
【図３】本発明の横葺き外装構造の外設部材取付構造における実施の他の１形態を例示している縦断面図。
【図４】部分拡大縦断面図。
【図５】図４の（５）−（５）縦断面図。
【符号の説明】
【００１１】
１  垂木（下地）
２  横葺き屋根板（横葺き外装材）
２ａ  水上側成形部
２ｂ  水下側成形部
２ｃ  面板部
２ｄ  立ち上がり部
２ｅ  開口部
３  保持部材
３ａ  被取付け部
３ｂ  据え付け部
３ｃ  基部
３ｄ  固定部
３ｅ  孔
３ｆ  段違い部
４  固定具
５  シール材
６  緩衝材
７  捨て板
７ａ  水返し部
７ｂ  水上部
７ｃ  水下部
８  雪止めアングル材
【図１】
2006274734.tif 000003
【図２】
2006274734.tif 000004
【図３】
2006274734.tif 000005
【図４】
2006274734.tif 000006
【図５】
2006274734.tif 000007